(57)【要約】本発明は、メディア・ストリーム（２１６）に関連付けられたサービス（２１８）をユーザ機器（２０２）に対して提供する方法及びシステムに関する。本システムは、通信ネットワーク（２００）の無線インターフェースを用いてサービス（２１８）を提供するための、通信ネットワーク（２００）に接続された、サーバ（２１０）で構成される。本システムは、メディア・ストリーム（２１６）を提供するための放送システム（２０４）で更に構成される。メディア・ストリーム（２１６）をサービス（２１８）に関連付けるための関連付けデータは、システムからユーザ機器（２０２）に送信される。関連付けデータが受信されると、関連付けデータを用いることによってユーザ機器（２０２）にサービス（２１８）提供するようにシステムは設定される。
2005523661.tif 000002
【特許請求の範囲】
【請求項１】
セルラー通信システムのユーザ機器に対してサービスを提供する方法であって、前記サービスはセルラー通信システムの無線インターフェースを介して送信され、前記ユーザ機器は前記セルラー通信システムにおいて通信するためのユーザ端末及びラジオ放送システムが提供するメディア・ストリームを受信するためのメディア受信機で構成される、方法において、
メディア・ストリームをサービスに関連付けるための関連付けデータを送信すること（３０２）と、
前記ユーザ機器において前記関連付けデータを受信すること（３０４）と、
前記関連付けデータを用いることによって前記メディア・ストリームに関連付けられた前記サービスを前記ユーザ機器に提供するように前記セルラー通信システム及び前記放送システムで構成されるシステムを設定すること（３１６）と、
を特徴とする方法。
【請求項２】
前記関連付けデータの少なくとも一部を前記ユーザ機器内に自動的に記憶すること（３０６）と、
前記関連付けデータの前記少なくとも一部を用いることによって前記システムを設定すること（３１６）と、
を特徴とする請求項１に記載の方法。
【請求項３】
前記関連付けデータを用いて前記サービスを前記ユーザ機器に提供すること（３２０）、
を特徴とする請求項１又は２に記載の方法。
【請求項４】
前記サービスに関連付けられたメディア・ストリームを受信するように前記メディア受信機を設定すること（３１８）、
を特徴とする請求項１乃至３のいずれか１項に記載の方法。
【請求項５】
前記メディア・ストリームを受信すること（３２２）、
を特徴とする請求項４に記載の方法。
【請求項６】
前記メディア・ストリームに同期したサービスにメディア・ストリームを関連付けるための前記関連付けデータを送信すること（３０２）、
を特徴とする請求項１乃至５のいずれか１項に記載の方法。
【請求項７】
サービス識別、
ラジオ・サービス・アドレス、
ラジオ放送局識別番号、
番組識別番号、
交通アナウンス識別番号、
交通番組識別番号、
番組項目番号、
緊急警告メッセージ、
音楽／スピーチ・インジケータ、
メディア・ストリームが利用するラジオ周波数、
番組サービス名、
番組種類識別番号、
国コード、
位置情報、
の内の少なくとも一つを含む関連付けデータを送信すること（３０２）、
を特徴とする請求項１乃至６のいずれか１項に記載の方法。
【請求項８】
ユーザ機器に対する前記サービスを提供するサーバに前記ユーザ機器から前記関連付けデータの少なくとも一部を送信すること（３１４）と、
前記関連付けデータの前記少なくとも一部を用いることによって前記ユーザ機器に前記サービスを提供するように前記サーバを設定すること（３１６）と、
を特徴とする請求項１乃至７のいずれか１項に記載の方法。
【請求項９】
前記関連付けデータの少なくとも一部を用いることによって前記サービスにアクセスするように前記ユーザ機器を設定するための設定パラメータを要求すること（４０６）と、
前記設定パラメータを返すこと（４０８）と、
前記設定パラメータで前記ユーザ機器を設定すること（４１０）と、
を特徴とする請求項１乃至８のいずれか１項に記載の方法。
【請求項１０】
サービス識別、
ラジオ・サービス・アドレス、
ラジオ放送局識別番号、
番組識別番号、
交通アナウンス識別番号、
交通番組識別番号、
番組項目番号、
緊急警告メッセージ、
音楽／スピーチ・インジケータ、
メディア・ストリームが利用するラジオ周波数、
番組サービス名、
番組種類識別番号、
国コード、
位置情報、
の内の少なくとも一つを含む設定パラメータを返すこと（４０８）、
を特徴とする請求項９に記載の方法。
【請求項１１】
前記関連付けデータの少なくとも一部をユーザに表示すること（３１０）と、
前記関連付けデータの少なくとも一部からユーザが項目を選択すること（３１２）と、
前記項目を用いることによって前記システムを設定すること（３１６）と、
を特徴とする請求項１乃至１０のいずれか１項に記載の方法。
【請求項１２】
前記放送システムを用いて前記関連付けデータの少なくとも一部を送信すること（３０２）と、
前記メディア受信機を用いて前記関連付けデータの少なくとも一部を受信すること（３０４）と、
を特徴とする請求項１乃至１１のいずれか１項に記載の方法。
【請求項１３】
前記セルラー通信システムを用いて前記関連付けデータの少なくとも一部を送信すること（３０２）、
を特徴とする請求項１乃至１２のいずれか１項に記載の方法。
【請求項１４】
前記関連付けデータの少なくとも一部を前記メディア・ストリームに符号化すること（５０２）と、
前記ユーザ機器において前記関連付けデータの前記少なくとも一部を前記メディア・ストリームから復号化すること（５０８）と、
を特徴とする請求項１乃至１２のいずれか１項に記載の方法。
【請求項１５】
前記メディア受信機と前記ユーザ端末との間で関連付けデータを交換すること（３０８）、を特徴とする請求項１乃至１４のいずれか１項に記載の方法。
【請求項１６】
ユーザ機器に対してサービスを提供するシステムであって、
前記ユーザ機器（２０２）に移動サービスを提供するためのセルラー通信システムの通信ネットワーク（２００）と、
前記ユーザ機器（２０２）にメディア・ストリーム（２１６）を提供するための放送システム（２０４）と、
前記セルラー通信システムにおいて通信するための、前記ユーザ機器（２０２）における、ユーザ端末（２０６）と、
前記メディア・ストリーム（２１６）を受信するための、前記ユーザ機器（２０８）における、メディア受信機（２０８）と、
で構成されるシステムにおいて、
前記システムは、
前記セルラー通信システムの無線インターフェースを用いることによって前記メディア・ストリーム（２１６）に関連付けられたサービス（２１８）を前記ユーザ機器（２０２）に提供するための前記通信ネットワーク（２００）に接続されたサーバ（２１０）と、
前記メディア・ストリーム（２１６）を前記サービス（２１８）に関連付けるための関連付けデータを前記ユーザ機器（２０２）に提供するための関連付けデータ源（２１２）と、
で更に構成され、
前記ユーザ機器（２０２）は前記関連付けデータの少なくとも一部を受信するように設定され、
前記システムは、前記関連付けデータを用いることによって前記メディア・ストリーム（２１６）に関連付けられた前記サービス（２１８）を前記ユーザ機器（２０２）に提供するように前記システムを設定するための、前記ユーザ機器（２０２）及び前記サーバ（２１０）に操作上接続された、設定手段（２１４）で更に構成される、
ことを特徴とするシステム。
【請求項１７】
前記ユーザ機器（２０２）は前記関連付けデータの少なくとも一部を自動的に記憶するように設定され、
前記設定手段（２１４）は前記関連付けデータの前記一部を用いることによって前記システムを設定するように構成される、
ことを特徴とする請求項１６に記載のシステム。
【請求項１８】
前記サーバ（２１０）は前記関連付けデータを用いて前記サービスを前記ユーザ機器（２０２）に提供するように構成される、
ことを特徴とする請求項１６又は１７に記載のシステム。
【請求項１９】
前記メディア受信機（２０８）は前記サービス（２１８）に関連付けられた前記メディア・ストリーム（２１６）を受信するように構成される、
ことを特徴とする請求項１６乃至１８のいずれか１項に記載のシステム。
【請求項２０】
前記システムは前記サービス（２１８）を前記メディア・ストリーム（２１６）に同期させるための、前記サーバ（２１０）及び前記放送システム（２０４）に接続された、同期装置（１２２）で構成され、
前記関連付けデータ源（２１２）は前記メディア・ストリーム（２１６）に同期したサービス（２１８）に前記メディア・ストリーム（２１６）を関連付けるための前記関連付けデータを提供するように構成される、
ことを特徴とする請求項１６乃至１９のいずれか１項に記載のシステム。
【請求項２１】
前記関連付けデータ源（２１２）は、
サービス識別、
ラジオ・サービス・アドレス、
ラジオ放送局識別番号、
番組識別番号、
交通アナウンス識別番号、
交通番組識別番号、
番組項目番号、
緊急警告メッセージ、
音楽／スピーチ・インジケータ、
メディア・ストリームが利用するラジオ周波数、
番組サービス名、
番組種類識別番号、
国コード、
位置情報、
の内の少なくとも一つを含む関連付けデータを提供するように構成される、
ことを特徴とする請求項１６乃至２０のいずれか１項に記載のシステム。
【請求項２２】
前記ユーザ端末（２０６）は前記関連付けデータの少なくとも一部を前記サーバ（２１８）に送信するように構成され、
前記サーバ（２１８）は前記関連付けデータの前記少なくとも一部を用いることによって前記サービスを前記ユーザ機器（２０２）に提供するように構成される、
ことを特徴とする請求項１６乃至２１のいずれか１項に記載のシステム。
【請求項２３】
前記ユーザ端末（２０６）は前記関連付けデータの少なくとも一部を用いることによって前記サービス（２１８）にアクセスするように前記ユーザ機器（２０６）を設定するための設定パラメータを要求するように構成され、
前記サーバ（２１８）は前記設定パラメータを返すように構成され、
前記設定手段（２１４）は前記設定パラメータで前記ユーザ機器（２０２）を設定するように構成される、
ことを特徴とする請求項１６乃至２２のいずれか１項に記載のシステム。
【請求項２４】
前記サーバ（２１８）は、
サービス識別、
ラジオ・サービス・アドレス、
ラジオ放送局識別番号、
番組識別番号、
交通アナウンス識別番号、
交通番組識別番号、
番組項目番号、
緊急警告メッセージ、
音楽／スピーチ・インジケータ、
メディア・ストリームが利用するラジオ周波数、
番組サービス名、
番組種類識別番号、
国コード、
位置情報、
の内の少なくとも一つを含む設定パラメータを返すように構成される、
ことを特徴とする請求項２３に記載のシステム。
【請求項２５】
前記ユーザ機器（２０２）は前記関連付けデータの少なくとも一部を前記ユーザに表示するように構成され、
前記ユーザ機器（２０２）は前記関連付けデータの前記少なくとも一部からの項目の選択を登録するように構成され、
前記設定手段（２１４）は前記項目を用いることによって前記システムを設定するように構成される、
ことを特徴とする請求項１６乃至２４のいずれか１項に記載のシステム。
【請求項２６】
前記関連付けデータ源（２１２）は前記放送システム（２０４）に接続され、
前記放送システム（２０４）は前記関連付けデータの少なくとも一部を送信するように構成され、
前記メディア受信機（２０８）は前記関連付けデータの前記少なくとも一部を受信するように構成される、
ことを特徴とする請求項１６乃至２５のいずれか１項に記載のシステム。
【請求項２７】
前記関連付けデータ源（２１２）は前記通信ネットワーク（２００）に接続され、
前記通信ネットワーク（２００）は前記関連付けデータの少なくとも一部を送信するように構成され、
前記ユーザ端末（２０６）は前記関連付けデータの前記少なくとも一部を受信するように構成される、
ことを特徴とする請求項１６乃至２６のいずれか１項に記載のシステム。
【請求項２８】
前記システムは前記関連付けデータの少なくとも一部を前記メディア・ストリーム（２１６）に符号化するための、前記放送システム（２０４）に接続された、符号器（２２４）で構成され、
前記ユーザ機器（２０２）は前記関連付けデータの前記少なくとも一部を前記メディア・ストリーム（２１６）から復号化するための、前記メディア受信機（２０８）に接続された、復号器（２２６）で構成される、
ことを特徴とする請求項１６乃至２７のいずれか１項に記載のシステム。
【請求項２９】
前記ユーザ機器（２０２）は前記ユーザ端末（２０６）と前記メディア受信機（２０８）との間で関連付けデータを交換するように構成される、
ことを特徴とする請求項１６乃至２８のいずれか１項に記載のシステム。
【発明の詳細な説明】
【技術分野】
【０００１】
本発明は、ユーザ機器に対してサービスを提供する方法及びユーザ機器に対してサービスを提供するシステムに関する。
【背景技術】
【０００２】
テレビ及びラジオ放送局のような放送局は、従来のメディア・ストリームに加えて番組情報、ニュース、気象情報、競技、及びその他の関連するコンテンツ等のデジタル追加サービスを視聴者に提供すべく発展してきた。デジタル追加サービスは、通常は、インターネットに接続できる視聴者のパソコン又はその他の装置を用いてインターネットを介して視聴者に配信される。
【０００３】
放送局が放送するメディア・ストリームを受信するためのＦＭラジオのような受信機を備えているセルラー通信システムのユーザ機器は、より一層の移動度を視聴者に対して提供する。ＷＡＰ（無線アプリケーション・プロトコル）を備えた機器のようなインターネット・サービスに接続できるユーザ機器がアクセスすることのできるインターネット・サービスを、放送局は通常提供している。必要なサービスを得るために、ユーザは、放送局のインターネット・サイトを見て回り適切なサービスを選択する必要がある。入手可能なサービスについてユーザに知らせるために、放送局は通常、実際のテレビ又はラジオ放送においてあるいはその他のマス・メディアにおいて放送局のインターネット・アドレスを広めている。
【０００４】
しかしながら、ユーザがサービスにアクセスする際の複雑さに関連する問題が存在する。放送局がサービス・アドレスを広告すること及びユーザが望ましいサービス・アドレスを記憶することに対する必要性から、この複雑さは、生じている。更に、込み入ったインターネット・ウェブ構造を通して道を巡るのは、難儀で時間がかかる。サービスにアクセスする際のこの複雑さの結果として、ユーザをサービスに接続させるための高い障壁及びサービスの低い視聴率が生じている。
【発明の開示】
【０００５】
本発明の簡単な説明
本発明の目的は、ユーザ機器にサービスを提供する改良された方法及びシステムを提供することである。本発明の第１の態様によれば、セルラー通信システムのユーザ機器に対してサービスを提供する方法が与えられ、サービスはセルラー通信システムの無線インターフェースを介して送信され、ユーザ機器はセルラー通信システム内で通信するためのユーザ端末及びラジオ放送システムが提供するメディア・ストリームを受信するためのメディア受信機で構成され、本方法は、メディア・ストリームをサービスに関連付けるための関連付けデータを送信すること３０２、ユーザ機器において関連付けデータを受信すること、及び関連付けデータを用いることによってメディア・ストリームに関連付けられたサービスをユーザ機器に提供するようにセルラー通信システム及び放送システムで構成されるシステムを設定すること、で構成される。
【０００６】
本発明の別の態様によれば、ユーザ機器に対してサービスを提供するシステムであって、ユーザ機器に移動サービスを提供するためのセルラー通信システムの通信ネットワーク、ユーザ機器にメディア・ストリームを提供するための放送システム、セルラー通信システム内で通信するためのユーザ機器におけるユーザ端末、及びメディア・ストリームを受信するためのユーザ機器におけるメディア受信機で構成されるシステムが与えられ、サーバはセルラー通信システムの無線インターフェースを用いることによってメディア・ストリームに関連付けられたサービスをユーザ機器に提供するための通信ネットワークに接続され、関連付けデータ源はメディア・ストリームをサービスに関連付けるための関連付けデータをユーザ機器に提供し、ユーザ機器は関連付けデータの少なくとも一部を受信するように設定され、かつ本システムは関連付けデータを用いることによってメディア・ストリームに関連付けられたサービスをユーザ機器に提供するようにシステムを設定するための、ユーザ機器及びサーバに操作上接続された、設定手段で更に構成される。
【０００７】
本発明の望ましい実施形態を従属請求項に記載する。
【０００８】
本発明の方法及びシステムは、様々な利点を与える。本発明の一実施形態において、システムを設定する際のユーザの寄与を小さくすべく、ユーザ機器が受信した関連付けデータは、メディア・ストリームに関連付けられたサービスをユーザ機器に提供するようにシステムを設定することを可能とする。一実施形態において、本発明は、ユーザ機器内に設定されたプリセットを用いることによって、様々なメディア・ストリームと関連付けられたサービスとの間で選択することを可能とする。
【０００９】
以下において、望ましい実施形態及び添付の図面を参照して、本発明をより具体的に説明する。
【００１０】
実施形態の説明
図１は、本発明の一態様に従うシステムの単純化された構造の例を説明する。このシステムは、セルラー通信システムの通信ネットワーク１１６（ＣＯＭ  ＮＥＴ）、放送システム（ＢＣＳ）１１８、及びセルラー通信システムのユーザ機器（ＵＥ）１１０で構成される。
【００１１】
セルラー通信システムは、例えば、ＧＳＭ（移動体通信に対する世界システム）無線アクセス技術又はＷＣＤＭＡ（広帯域符号分割多元接続）技術に基づいている。セルラー通信システムの構造及び機能は当業者には周知であるので、本発明に関連するそれらのネットワーク要素を説明する。
【００１２】
通信ネットワーク１１６は、ユーザ機器１１０に移動サービスを提供する。放送システム１１８は、例えばラジオ又はテレビ放送を用いてメディア・ストリームを提供する。
【００１３】
通信ネットワーク１１６は、セルラー通信システムの固定の基幹施設に相当することができる。通信ネットワーク１１６は、通信ネットワーク１１６の無線独立層に相当する核ネットワーク（ＣＮ）１１４、及び少なくとも一つの無線アクセス・ネットワーク（ＲＡＮ）１０４で構成される。核ネットワーク１１４は、セルラー通信システムの異なる世代のネットワーク要素を含むことができる。無線アクセス・ネットワーク１０４は、ユーザ機器１１０に無線アクセス技術を用いる無線インターフェースを提供する。
【００１４】
図１に示した例において、回線交換及びパケット交換の両方式のネットワーク要素を用いるＧＳＭ技術に関して核ネットワーク１１４を例示する。ＧＰＲＳ（汎用パケット無線サービス）システムに関してパケット交換方式のネットワーク要素を説明するが、このシステムは、ＧＳＭを介した外部データ・ネットワークへのアクセスをユーザ機器１１０に提供し、ＴＣＰ（通信制御プロトコル）及びＩＰ（インターネット・プロトコル）のような標準的プロトコルをサポートする。しかしながら、本発明は、例において説明されるシステムで用いられるシステム、システムの部分、又はプロトコルに限定されず、あらゆるセルラー通信システムに適用することができる。
【００１５】
センター１００は、セルラー通信システムにおいて、それぞれ回線交換方式及びパケット交換方式の信号伝達を可能とする、移動サービス交換センター（ＭＳＣ）及びサービングＧＰＲＳサポート・ノード（ＳＧＳＮ）に相当する。
【００１６】
サービングＧＰＲＳサポート・ノード１００の機能は、パケット交換方式の伝送をサポートするユーザ機器１１０とパケットを送受信することである。サービングＧＰＲＳサポート・ノード１００は、ユーザ機器１１０に関する加入者情報及び位置情報を含む。
【００１７】
核ネットワーク１１４は、ゲートウェイ移動サービス交換センター（ＧＭＳＣ）及びゲートウェイＧＰＲＳサポート・ノード（ＧＧＳＮ）の両者に相当するゲートウェイ装置１０２を有することもできる。ＧＭＳＣは、核ネットワーク１１４と公衆地域移動ネットワーク（ＰＬＭＮ）又は公衆交換電話ネットワーク（ＰＳＴＮ）のような外部ネットワーク（ＥＸＴ）１２４との間の回線交換接続のためにあり、ＧＧＳＮは、核ネットワーク１１４とインターネットのような外部ネットワーク１２４との間のパケット交換接続のためにある。
【００１８】
センター１００は、少なくとも一つの基地局（ＢＳ）１０８を制御する少なくとも一つの基地局コントローラ（ＢＳＣ）１０６で構成することのできる無線アクセス・ネットワーク１０４を制御する。基地局コントローラ１０６は、無線ネットワーク・コントローラと称してもよく、基地局１０８は、ノードＢと称してもよい。
【００１９】
メディア・ストリーム１２６は、放送システム１１８によって放送される。メディア・ストリーム１２６は、例えば、ラジオ又はテレビの番組、コマーシャル、又は予告を含むことができる。メディア・ストリーム１２６は、スピーチ、音楽、又は画像を含むことができる。しかしながら、メディア・ストリーム１２６のコンテンツは、本解決策とは関係ない。
【００２０】
本発明の一態様に従うシステムは、セルラー通信システムの無線インターフェースを用いることによってメディア・ストリームに関連付けられたサービス１２８をユーザ機器１１０に提供するための、通信ネットワーク１１４及び放送システム１１８に接続された、サーバ（ＳＥＲＶＥＲ）１１２で更に構成される。サーバ１１２は、通信ネットワーク１１４及び放送システム１１８に対するインターフェースを有するパソコン又はワーク・ステーションのようなコンピュータとすることができる。外部のネットワーク及び機器との必要な接続が存在する限りは、サーバ１１２の物理的な位置は、関係ない。
【００２１】
ユーザ機器１１０は、基地局１０８が提供する無線インターフェースを用いてセルラー通信システム内で通信するためのユーザ端末（ＵＴ）１２０で構成される。ユーザ機器１１０は、放送システム１１８が提供するメディア・ストリーム１２６を受信するための、ＦＭ受信機又はテレビ受信機のような、メディア受信機（ＭＲＸ）１２２で更に構成される。
【００２２】
サーバ１１２は、センター１００、ゲートウェイ装置１０２、無線アクセス・ネットワーク１０４、又は通信ネットワーク１１６のその他の部分に接続することができる。一実施形態において、サーバ１１２は、セルラー通信システムの無線インターフェースを介して通信ネットワーク１１６と通信する。
【００２３】
基地局１０８は、実際のデータに加えてアドレス及び制御データを含むパケットにおいて転送データを利用するＧＰＲＳ法を用いてユーザ機器１１０と通信することができる。複数の接続が、同一の送信チャンネルを同時に利用することができる。パケット交換法は、送信されるデータがバーストで生成されるデータ送信に適している。かかる場合においては、全送信時間に対してデータ・リンクを割り当てる必要はなく、パケットを送信するのにかかる時間に対してのみ割り当てればよい。このため、通信ネットワーク１１６の設定及び利用の両方の時間において著しくコストが削減され容量が節約される。
【００２４】
例えば、サーバ１１２は、ユーザ機器１１０と通信ネットワーク１１６との間のコンテンツの流れを制御する。サーバ１１２は、ユーザ機器１１０に対するサービスのコンテンツの指定時刻配信を容易にすることもできる。
【００２５】
サービス１２８は、ユーザにメディア・ストリーム１２６を配信する際に用いられる放送チャンネルに平行した通信チャンネルをユーザ機器１１０に提供する。これは、平行チャンネル動作と称される。サーバ１１２のデータベース（ＤＢ）１３０の論理アドレスを用いることによってサービス１２８にアクセスすることができるように、論理アドレスをサービス１２８の専用にすることができる。サービスのデータベース１３０は、サービス・コンテンツを含むコンピュータ・ファイルで構成される。サービスのコンテンツは、時間の関数として、場合によってはメディア・ストリーム１２６のコンテンツの関数として変化することができる。サービス１２８は、グラフィック情報、テキスト情報、オーディオ情報、コンピュータ・プログラム、点字、振動、又は、これらの任意の組み合わせのような情報コンテンツを含むビット・ストリームをユーザ機器１１０に提供する。一実施形態において、サービス１２８のコンテンツは、ユーザ機器１１０のディスプレイ上に表示される。
【００２６】
ユーザ機器１１０において平行チャンネル・ソフトウェア動作が開始されると、ユーザ機器１１０は、自身に関する情報をサーバ１１２に送信することができ、サーバ１１２はユーザ機器１１０にメディア・ストリーム１２６の情報を与える。ユーザ機器１１０に関する情報を用いて、各ユーザ機器１１０の機能及びスクリーン・サイズに最適化された、グラフィック・オブジェクトを含む、コンテンツの変形を配信することができる。
【００２７】
サービス提供者は、サービス１２８の関連するデジタル・コンテンツに対する権利、ユーザ機器１１０にサービス１２８を提供するための配信システム、及び場合によってはサービス１２８に対してユーザに課金する機能を有する団体である。サービス提供者の配信システムは、配信要求を受信して処理し、ユーザ機器１１０にサービス１２８を配信する役割を担う。
【００２８】
ユーザ機器１１０において、システムは、取り込まれたユーザの経験を提供し、ユーザがメディア・ストリーム１１６を聞くこと及びメディア・ストリーム１１６に関連するサービスのコンテンツを受信することの両方を開始することを可能にする。メディアの動作は、セルラー通信システムが可能にした放送チャンネル及び平行チャンネルという２個のチャンネルに基づいている。他方で、メディア・システムは、コンテンツを受信して表示すること及びサーバ１１２に対するユーザの相互作用を報告することのような視覚的で双方向の平行チャンネル機能を提供する。
【００２９】
一実施形態において、メディア・ストリーム１２６とサービス１２８との間の関連は、サービス１２８の特徴付け及びメディア・ストリーム１２６の特徴付けに基づいている。サービス１２８の特徴付けとメディア・ストリーム１２６の特徴付けとの間の関連が存在する場合には、サービス１２８及びメディア・ストリーム１２６は、互いに関連付けられていると考えられる。メディア・ストリーム１２６は、一つ以上のサービス１２８と関連付けることができる。サービス１２８は、一つ以上のメディア・ストリーム１２６と関連付けることができる。
【００３０】
関連付けデータは、メディア・ストリーム１２６とサービス１２８との間の関連を提供する情報の一要素である。明確な関連において、関連付けデータを用いることによってラジオのスポーツ番組のような望ましいメディア・ストリーム１２６及びその番組に関連するスポーツの結果のようなサービス１２８がユーザ機器１１０に配信され得るように、関連付けデータは、メディア・ストリーム１２６及びサービス１２８の両者の明確な特徴付けを提供する。かかる場合においては、関連付けデータは、例えば、ラジオ放送が利用する周波数及びスポーツの結果を提供するサービス１２８のアドレスを含む。例えば、特徴付けは、サービスの識別（identification）又はラジオ・チャンネルの識別とすることができる。特徴付けは、サービス１２８又はメディア・ストリーム１２６の、スポーツ・コンテンツのような、コンテンツを指定することができる。
【００３１】
暗黙の関連において、関連付けデータは、メディア・ストリーム１２６及びサービス１２８の明確な特徴付けを提供するために用いられる情報を含む。暗黙の関連は、明確な関連がシステム内のどこかでユーザ機器に利用可能となることを要請する。明確な関連は、ユーザ機器１１０の履歴に基づいてユーザ機器１１０から又はサービス提供者から入手可能とすることができる。例えば、関連付けデータは、ラジオ局の識別を含む。かかる場合においては、識別は、サービス１２８の識別及び場合によってはメディア・ストリーム１２６が利用する周波数を返す関連レジスタに与えることができる。サービスの識別は、ユーザ機器１１０を設定する際に用いることができ、この設定を用いることによってサービス１２８にアクセスすることができる。関連付けレジスタは、ユーザ機器１１０又はサービス１２８を提供するサーバに、あるいはユーザ機器１１０が関連付けレジスタにアクセスできる限りはシステム内のあらゆる場所に、配置することができる。
【００３２】
関連付けデータは、例えばサービスの多様性に依存する様々なレベルでメディア・ストリーム及びサービスを関連付ける。
【００３３】
関連付けデータは、ラジオ・サービス・アドレス、サービス識別、オブジェクト識別、ラジオ放送局識別番号、番組識別番号、交通アナウンス識別番号、交通番組識別番号、番組項目番号、緊急警告メッセージ、音楽／スピーチ・インジケータ、メディア・ストリームが利用するラジオ周波数、番組サービス名、番組種類識別番号、国コード、及び位置情報といった種類の情報を含むことができる。
【００３４】
一実施形態において、システムは、サーバ１１２に接続されたコンテンツ作成ツール（ＣＣＴ）１３２及びサービス１２８に対してコンテンツを提供するための放送システム１１８で構成される。あるアプリケーションにおいては視覚ラジオ・ツールとも称されるコンテンツ作成ツール１３２は、ユーザ機器１１０上に表示すべきサービス・コンテンツ・プレゼンテーションを作成するために用いることができる。コンテンツ作成ツール１３２は、放送システム１１８内に配置して統合することができる。
【００３５】
コンテンツ作成ツール１３２によって、放送システムは、視覚プレゼンテーションを作成することができ、ユーザ機器１１０のスクリーン上に示されるコンテンツの流れをメディア・ストリーム１２６と同期して管理することができる。
【００３６】
コンテンツ作成ツール１３２は、放送メディア・ストリームの時刻表に関してユーザ機器１１０にサービス１２８のコンテンツを表示するタイミングも規定する。
【００３７】
一実施形態において、サーバ１１２は、要求されたサービス１２８を提供するサービス・データベース１３０にユーザ機器１１０からのサービス要求を送るための相互作用エンジン（ＩＥ）１３６で構成される。
【００３８】
一実施形態において、サーバ１１２は、コンテンツ作成ツール１３２からサーバ１１２内の相互作用エンジン１３６にコンテンツを有する信号を配信するためのコンテンツ配信エンジン（ＣＤＥ）１３４で構成され、相互作用エンジンは、通信ネットワーク１１６を介して信号をユーザ機器１１０に送信する。
【００３９】
例示の放送システム１１８は、タイミング情報モジュール（ＴＩＭ）１３８、動的コンテンツ配信モジュール（ＤＣＤＭ）１４０、放送コンテンツ配信モジュール（ＢＣＤＭ）１４２、及びユーザ・インターフェース（ＵＩ）１４４で構成される。
【００４０】
放送コンテンツ配信モジュール１４２は、ラジオ受信機又はテレビ受信機のようなメディア受信機１２２にメディア・ストリーム１２６を送信する。送信は、アナログ送信又はデジタル送信を用いて実施することができる。送信チャンネルは、周波数分割、時分割、符号分割、又はこれらの組み合わせを用いることによって、別のチャンネルと多重化することができる。
【００４１】
タイミング・モジュール１３８は、メディア・ストリーム１２６とサーバ１１２からユーザ機器１１０へのデータ・ストリーム送信との時間関係に関するタイミング情報をサーバ１１２に提供する。例えば、タイミング・モジュール１３８は、放送システム１１８による特定の番組放送の開始時刻及び終了時刻に関する情報、並びに広告休憩のタイミング又はメディア・ストリーム１２６内の関連する時間構造に関する情報を提供する。
【００４２】
ユーザ機器１１０は、無線モデム、ソフトウェアを有するプロセッサ、メモリ、ユーザ・インターフェース、及びディスプレイを含む従来の構成要素で構成することができる。メディア受信機１２２及びユーザ端末１２０の構造は、当業者には周知である。
【００４３】
ユーザ機器１１０は、メディア・ストリーム１２６及びサービス１２８からなる平行チャンネルの見聞を生成するための特定のソフトウェア・モジュールを更に含むことができる。ソフトウェア・モジュールは、シンビアンのような固有のオペレーティング・システムを用いて、あるいはＪａｖａ  ＭＩＤＰ（モバイル情報デバイス・プロファイル）のようなプログラミング環境を用いて、導入することができる。
【００４４】
図２は、通信ネットワーク２００、放送システム２０４、サーバ２１０、及びユーザ機器２０２で構成されるシステムの単純化された構造を示す。ユーザ機器２０２は、関連付けデータに関する情報、要求、及びユーザ識別を含むあらゆる情報を通信ネットワーク２００に送信する際に、ＧＰＲＳ法が提供するチャンネルのような帰路チャンネル２２０を利用することができる。図２に示したシステムの要素の構造及び機能は、図１に表したものに相当する。
【００４５】
本発明の第２の態様によれば、システムは、メディア・ストリーム２１６をサービス２１８に関連付けるための関連付けデータ２２８をユーザ機器１１０に提供するための関連付けデータ源（associating data source）２１２で更に構成される。関連付けデータ源２１２は、サーバ１１０、通信ネットワーク２００、又は放送システム２０４に配置されるレジスタとすることができる。
【００４６】
本発明の第２の態様によれば、システムは、関連付けデータ２２８を用いることによってメディア・ストリーム２１６に関連付けられたサービス２１８をユーザ機器２０２に提供するようにシステムを設定するための、ユーザ機器２０２及びサーバ２１０に操作上接続された、設定手段（configuring means）２１４で更に構成される。
【００４７】
一実施形態において、システムは、サービス２１６をメディア・ストリーム２１８に同期させるための同期装置（synchronizer）２２２で構成される。例えば、同期装置２２２は、放送システム１１８のタイミング情報モジュール１２４から開始時刻及び広告休憩の情報を取得する。更に、同期装置２２２は、サーバ１１２との同期アルゴリズムを実行することによって、ユーザ機器１１０がその時計を放送システム時間基準に同期させるための手段を提供することができる。同期アルゴリズムは、ユーザ機器１１０からサーバ１１２に送られる要求の往復の遅延を計算すること及びユーザ機器の時計とサーバの時計との間の差を計算することに基づくことができる。ユーザ機器１１０が同期を実行してメディア・ストリームの開始時刻が知られると、メディア・ストリームの時刻表基準は、ユーザ機器１１０の内部時計内の基準に変換することができる。サービス２１８のコンテンツは、放送と同期してユーザに示すことができる。
【００４８】
一実施形態において、設定手段２１４の少なくとも一部は、ユーザ機器２０２内に配置される。設定手段２１４は、ソフトウェア・パッケージ２３０又はレジスタであり、レジスタは、サービス２１８の識別のような設定パラメータでユーザ機器２０２を設定する。この識別を用いて、ユーザ機器２０２は、例えばサーバ２１０内の特定のファイルにアクセスすることができる。
【００４９】
一実施形態において、設定手段２１４は、ユーザ機器２０２の使用履歴に基づく情報を含む。例えば、設定手段２１４は、サービス識別とラジオ番組識別番号との間のマッピングを含むユーザ機器２０２内のレジスタである。関連付けデータがラジオ番組識別番号を含む場合は、ユーザ機器２０２は、マッピングを用いてサービス識別を取得することができ、サービス識別を用いることによってサービス２１８にアクセスすることができる。マッピングは、メディア・ストリーム２１６及びサービス２１８を特徴付けるあらゆる情報の間に存在することができる。マッピングは、ソフトウェア・パッケージ２３０によって実行することができる。
【００５０】
一実施形態において、設定手段２１４の少なくとも一部は、サーバ２１０、通信ネットワーク２００、又は放送システム内に配置される。設定手段２１４が実行するタスクには、サービス２１８のコンテンツを含むデータ・パケットがサーバ２１０からユーザ機器２０２にルーティングされるようにサーバ１１２内のパラメータを設定することが含まれる。ルーティングは、ユーザ機器２０２のアドレスに関する情報を伴い、このアドレスは、例えばサービングＧＰＲＳサポート・ノード１００から入手可能である。例えばＧＰＲＳシステムにおけるルーティング方法は、当業者には周知である。
【００５１】
一実施形態において、関連付けデータ源２１２は、放送システム２０４に接続され、放送システム２０４は、関連付けデータ２２８の少なくとも一部を送信するように構成され、かつメディア受信機２０８は、関連付けデータ２２８の少なくとも一部を受信するように構成される。データ転送は、アナログ又はデジタルのデータ転送に基づくことができる。関連付けデータ２２８は、例えば上記に掲載されたものの一つとすることができる。
【００５２】
一実施形態において、関連付けデータ２２８は、サービス２１８にアクセスし得る手段であるサービスの識別を含む。関連付けデータをユーザ機器２０２に配信する際に放送システム２０４用いると、通信ネットワーク２００の容量は変えずにデータ転送の安価な方法が提供される。
【００５３】
一実施形態において、システムは、関連付けデータ２２８の少なくとも一部をメディア・ストリーム２１６に符号化するための、放送システム２０４に接続された、符号器（encoder）２２４で構成され、ユーザ機器２０２は、関連付けデータの少なくとも一部をメディア・ストリーム２１６から復号化するための、メディア受信機２０８に接続された、復号器（decoder）２２６で構成される。関連付けデータ２２８は、一般人に利用可能なＲＤＳ（無線データ・システム）規格を用いてメディア・ストリーム２１６に符号化することができる。メディア受信機２０８が例えばユーザに情報を表示すること及びラジオ受信機を望ましいラジオ局に同調させることができるように、放送システム２０４からメディア受信機にデジタル形態で情報を送信することを、ＲＤＳは可能とする。ＲＤＳ規格は、メディア・ストリーム２１６に埋め込まれるデータの構造を規定する。データの一部は、メディア・ストリームの識別のような所定の目的に専用である。データの一部は、例えば放送システムのユーザ・インターフェース１４４が与えることができる。ＲＤＳを用いることの利点は、いくつかある。ＲＤＳは、ラジオ放送システム２０４内に存在するツールを用いてデータ転送を可能とする。
【００５４】
一実施形態において、関連付けデータ源２１２は、通信ネットワーク２００に接続され、通信ネットワーク２００は、関連付けデータ２１８の少なくとも一部を送信するように構成され、ユーザ端末２０６は、関連付けデータ２１８の少なくとも一部を受信するように構成される。関連付けデータ源２１２は、関連付けデータを含むデータ・パケットが関連付けデータ源２１２から送信される先であるセンター１００に、例えば接続することができる。データ・パケットは、基地局１０８が送信し、ユーザ端末２０６が受信する。通信ネットワーク２００は、例えば高データ・レート及び標準化データ転送プロトコルで関連付けデータをユーザ機器に配信する柔軟な方法を提供する。
【００５５】
一実施形態において、ユーザ機器２０２は、ユーザ端末２０６とメディア受信機２０８との間で関連付けデータを交換するように構成される。本発明の実施形態において、関連付けデータは、ユーザ端末２０６又はメディア受信機２０８が受信することができる。例えば、メディア受信機２０８は、サービスのＩＰアドレスを受信し、ユーザ端末２０６がＩＰアドレスからサービス２１８を取得できるようにユーザ端末２０６にＩＰアドレスを転送する。一実施形態において、ユーザ端末２０６は、ラジオ局識別を受信し、ラジオ局識別をメディア受信機２０８に転送する。一実施形態において、メディア受信機２０８は、例えばラジオ局識別又はラジオ放送で利用される周波数を用いることによって、サービス２１８に関連付けられたメディア・ストリーム２１６を受信するように構成される。ユーザ端末２０６とメディア受信機２０８との間でユーザが情報を転送する必要がないので、関連付けデータの交換は、システムを設定するための効率的な方法を可能とする。
【００５６】
一実施形態において、ユーザ機器２０２は、関連付けデータの少なくとも一部を自動的に記憶するように構成され、設定手段２１４は、関連付けデータの一部を用いることによってシステムを設定するように構成される。ユーザが関連付けデータを記憶する必要がないので、自動記憶は、システムを設定するための容易な方法を可能とする。
【００５７】
一実施形態において、ユーザ端末２０６は、関連付けデータの少なくとも一部をサーバ２１８に送信するように構成され、サーバ２１８は、関連付けデータの少なくとも一部を用いることによってユーザ機器２０２にサービス２１８を提供するように構成される。ユーザ機器２０２は、サービス２１８のＩＰアドレスを受信することができ、そのアドレスを用いてサービス２１８にアクセスする。
【００５８】
一実施形態において、ユーザ端末２０６は、関連付けデータの少なくとも一部を用いることによって、サービス２１８にアクセスするようにユーザ機器２０６を設定するための設定パラメータを要求するように構成され、サーバ２１８は、設定パラメータを返すように構成され、設定手段２１４は、設定パラメータを用いてユーザ機器２０２を設定するように構成される。設定パラメータを要求することによって、ユーザ機器２０２は、システムに関する更新情報に対するアクセスを有し、関連付けデータに対して小さい情報コンテンツを許容する。設定パラメータは、ラジオ・サービス・アドレス、サービス識別、オブジェクト識別、ラジオ放送局識別番号、番組識別番号、交通アナウンス識別番号、交通番組識別番号、番組項目番号、緊急警告メッセージ、音楽／スピーチ・インジケータ、メディア・ストリームが利用するラジオ周波数、番組サービス名、番組種類識別番号、国コード、及び位置情報に関する情報を伝えることができる。例えば、ユーザ機器２０２は、ラジオ放送局識別番号をサーバに送信することができ、サーバは、メディア・ストリーム２１６を放送する際に利用されるラジオ周波数及びオブジェクト識別をユーザ端末２０６に返す。メディア・ストリーム２１６と関連付けられたサービス２１８が提供するオブジェクトに、例えばプリセットを用いることによって、容易な方法でアクセスできるように、メディア・ストリーム２１６を提供するラジオ周波数及びオブジェクト識別は、ユーザ機器２０２内に記憶することができる。
【００５９】
一実施形態において、ユーザ機器２０２は、関連付けデータの少なくとも一部をユーザに表示するように構成され、ユーザ機器２０２は、関連付けデータの少なくとも一部から項目の選択を登録するように構成され、かつ設定手段２１４は、項目を用いることによってシステムを設定するように構成される。例えば、関連付けデータは、メディア受信機２０８に利用可能なラジオ局の名前を与える番組サービス名を含むことができる。番組サービス名の一覧表は、ユーザ機器２０２のディスプレイ上でユーザに示すことができ、そこからユーザは、項目を選択することができる。選択された項目は、ユーザ機器２０２によって登録される。項目は、サービス識別を含むこともできる。項目は、後の利用のためにユーザ機器２０２のプリセット内に記憶することができる。一実施形態において、ユーザは、サーバ２１０に送信された項目を選択する。サービス２１８及び関連付けられたメディア２１６にアクセスするようにユーザ機器２０２を設定する際に用いられる設定パラメータを提供するために、サーバ２１０は、サービス識別及びラジオ周波数のようなより具体的な情報を返す。設定は、ユーザ機器２０２のユーザ・インターフェース内にプリセットを設定することを含むことができる。プリセットは、サービス２１８及びメディア・ストリーム２１６を特徴付けるあらゆる情報を示すことができる。
【００６０】
図３、４、及び５を参照して、本発明の第１の態様の実施形態を示す。
【００６１】
図１において、３００で本方法を開始する。３０２で関連付けデータを送信する。３０４で関連付けデータを受信する。３０６で関連付けデータの一部を記憶する。３０８でユーザ端末２０６とメディア受信機２０８との間で関連付けデータの一部を交換する。３１０で関連付けデータの一部を表示する。３１２で表示された関連付けデータから項目を選択する。３１４で関連付けデータの一部をサーバ２１０に送信する。３１６で関連付けデータを用いてシステムを設定する。３１８で関連付けデータを用いてメディア受信機２０８を設定する。３２０でサービス２１８を提供する。３２２でメディア・ストリーム２１６の一部を受信する。３２４で本方法を停止する。
【００６２】
図２において、４００で本方法を開始する。４０２で関連付けデータを送信する。４０４で関連付けデータを受信する。４０６で設定パラメータを要求する。４０８で設定パラメータを返す。４１０で設定パラメータを用いることによってシステムを設定する。４１２で本方法を停止する。
【００６３】
図３において、５００で本方法を開始する。５０２で関連付けデータをメディア・ストリーム２１６に符号化する。５０４で関連付けデータを放送システム２０４から送信する。５０６で関連付けデータをメディア受信機２０８で受信する。５０８で関連付けデータをメディア・ストリーム２１６から復号化する。５１０でシステムを設定する。５１２で本方法を停止する。
【００６４】
添付の請求項の範囲から逸脱することなく、その他の実施形態を利用することができ、構造的及び機能的な変形をなし得ることを理解されたい。
【図面の簡単な説明】
【００６５】
【図１】本発明に従うシステムの構造の一例を示す図である。
【図２】本発明に従うシステムの構造の第２の例を示す図である。
【図３】本発明の実施形態に従うシステムが用いる手順の第１の例を示す図である。
【図４】本発明の実施形態に従うシステムが用いる手順の第２の例を示す図である。
【図５】本発明の実施形態に従うシステムが用いる手順の別の例を示す図である。
【図１】
2005523661.tif 000003
【図２】
2005523661.tif 000004
【図３】
2005523661.tif 000005
【図４】
2005523661.tif 000006
【図５】
2005523661.tif 000007
【国際調査報告】
2005523661.tif 000008
2005523661.tif 000009